(57)【要約】【課題】通信ネットワークにおけるデータ送信を制御する方法および装置。【解決手段】本願方法は、第１基地局に送信するための第１パワー情報をユーザー装置において受信するステップと、第２基地局に送信するための第２パワー情報をユーザー装置において受信するステップと、前記ユーザー装置が、前記第１パワー情報に依存した第１最大パワー以下である第１パワーにより、前記第１基地局に送信するようにするステップと、前記第１および、第２パワーが、前記ユーザー装置用に許容されている合計パワーを超過しないように、前記ユーザー装置が、前記第２パワー情報に依存した第２最大パワー以下である第２パワーにより、前記第２基地局に送信するようにするステップと、を有する。【選択図】図４
2018139447.tif 000002
【特許請求の範囲】
【請求項１】
第１基地局に送信するための第１パワー情報をユーザー装置において受信するステップと、
第２基地局に送信するための第２パワー情報を前記ユーザー装置において受信するステップと、
前記ユーザー装置が、前記第１パワー情報に依存した第１最大パワー以下である第１パワーにより、前記第１基地局に送信するようにするステップと、
前記第１および、第２パワーが、前記ユーザー装置用に許容されている合計パワーを超過しないように、前記ユーザー装置が、前記第２パワー情報に依存した第２最大パワー以下である第２パワーにより、前記第２基地局に送信するようにするステップと、
を含む方法。
【請求項２】
前記第２最大パワーとの関係において前記第１最大パワーを定義するオフセットパラメータを受信するステップを含む請求項１に記載の方法。
【請求項３】
前記第１基地局は、マスタ基地局であり、また、第２基地局は、補助基地局である、請求項１または２に記載の方法。
【請求項４】
前記第１パワー情報は、第１チャネルパワー情報を含む、請求項１ないし３のいずれか１項に記載の方法。
【請求項５】
前記ユーザー装置が、前記第１チャネルパワー情報に依存した第１最大チャネルパワー以下であるパワーにより、第１チャネル上において前記第１基地局に送信するようにするステップを含む請求項４に記載の方法。
【請求項６】
前記チャネルは、物理アップリンク共有チャネル、物理アップリンク制御チャネル、物理ランダムアクセスチャネル、またはサウンディング基準信号を有するチャネルのうちの少なくとも１つである、請求項５に記載の方法。
【請求項７】
その個々の基地局について受信された前記パワー情報に基づいて第１または第２基地局のうちの少なくとも１つ基地局用のパワーヘッドルーム報告を生成するステップを含む請求項１ないし６のいずれか１項に記載の方法。
【請求項８】
基地局から、キャリア・アグリゲーション・パワー情報を受信するステップと、
前記ユーザー装置が、前記キャリア・アグリゲーション・パワー情報に更に依存したパワーにより、前記基地局に送信するようにするステップと、
を含む請求項１ないし７のいずれか１項に記載の方法。
【請求項９】
前記ユーザー装置が、前記第１パワー情報に依存した最小パワーレベルを構成するようにするステップを含む請求項１ないし８のいずれか１項に記載の方法。
【請求項１０】
アップリンク制御情報とアップリンクデータの両方を搬送するチャネルのパワーが、前記最小パワーレベル未満においてスケーリングされている場合に、前記ユーザー装置が、アップリンク制御情報のみを前記第１基地局に送信するようにするステップを含む請求項１ないし９のいずれか１項に記載の方法。
【請求項１１】
前記第１基地局に対する送信は、前記第２基地局に対する送信よりも高い優先順位を有し、
前記第１パワーを変更済みの第１パワーに増大させるステップと、
前記第１および、第２パワーが、前記ユーザー装置用に許容されている合計パワーを超過している場合に、前記第２パワーを変更済みの第２パワーに減少させるステップと、
前記ユーザー装置が、前記変更済みの第１パワーにより、前記第１基地局に送信するようにするステップと、
前記変更済みの第１および、第２パワーが、前記ユーザー装置用に許容されている合計パワーを超過しないように、前記ユーザー装置が、前記変更済みの第２パワーにより、前記第２基地局に送信するようにするステップと、
を含む請求項１ないし１０のいずれか１項に記載の方法。
【請求項１２】
前記ユーザー装置に、前記変更済みの第１パワーにおいて前記第１基地局にサブフレームを送信させ、また、前記変更済みの第２パワーにおいて後続のまたはオーバーラップしたサブフレームのうちの少なくとも１つを前記第２基地局へ送信させるステップを含む請求項１１に記載の方法。
【請求項１３】
前記第２基地局に対する送信よりも高い優先順位の前記第１基地局に対する送信が、変更済みの第１パワーにおいて前記第１基地局に送信されている場合に、前記ユーザー装置に、前記第２基地局に対する少なくとも１つのチャネルの送信を休止させるステップを含む請求項１１または１２に記載の方法。
【請求項１４】
前記第２基地局に対する送信が存在していない状態において、
前記第１パワーを変更済みの第１パワーに増大させるステップと、
前記変更済みの第１パワーが、前記ユーザー装置用に許容されている合計パワーを超過しないように、前記ユーザー装置に、前記第１基地局へ送信させるステップと、
を含む請求項１ないし１３のいずれか１項に記載の方法。
【請求項１５】
前記第１および、第２パワーが、前記ユーザー装置用に許容されている合計パワーを超過していない場合に、前記ユーザー装置に、前記第１基地局へ、また、前記第２基地局へ、送信させるステップと、
前記第１および、第２パワーが、前記ユーザー装置用に許容されている合計パワーを超過している場合に、前記ユーザー装置に、前記第１基地局へのみ送信させるステップと、
前記第２基地局に対する送信のために、サブフレームを予約するステップと、
を含む請求項１ないし１４のいずれか１項に記載の方法。
【請求項１６】
同期ＨＡＲＱプロセスのラウンドトリップ時間、非同期ＨＡＲＱの最短ラウンドトリップ時間、周期的リソース割当のうちの少なくとも１つに、少なくとも部分的に基づいて、前記第２基地局に対する送信用に予約された前記サブフレームとなるように、サブフレームを判定するステップを含む請求項１５に記載の方法。
【請求項１７】
少なくとも１つのプロセッサと、１つまたは複数のプログラム用のコンピュータコードを含む少なくとも１つのメモリと、を備える装置であって、
前記少なくとも１つのメモリおよび、前記コンピュータコードは、前記少なくとも１つのプロセッサにより、前記装置に、少なくとも、
第１基地局に対して送信するための第１パワー情報をユーザー装置において受信させ、
第２基地局に対して送信するための第２パワー情報を前記ユーザー装置において受信させ、
前記ユーザー装置が、前記第１パワー情報に依存した第１最大パワー以下である第１パワーにより、前記第１基地局に送信させ、
前記第１および、第２パワーが、前記ユーザー装置用に許容されている合計パワーを超過しないように、前記ユーザー装置が、前記第２パワー情報に依存した第２最大パワー以下である第２パワーにより、前記第２基地局に送信させる、
ように構成されている、装置。
【請求項１８】
前記第２最大パワーとの関係において前記第１最大パワーを定義するオフセットパラメータを受信するステップを含む請求項１７に記載の装置。
【請求項１９】
前記第１基地局は、マスタ基地局であり、また、前記第２基地局は、補助基地局である、請求項１７または１８に記載の装置。
【請求項２０】
前記第１パワー情報は、第１チャネルパワー情報を含む、請求項１７ないし１９のいずれか１項に記載の装置。
【請求項２１】
前記ユーザー装置に、前記第１チャネルパワー情報に依存した第１最大チャネルパワー以下であるパワーにより、第１チャネル上において前記第１基地局へ送信させるステップを含む請求項２０に記載の装置。
【請求項２２】
前記チャネルは、物理アップリンク共有チャネル、物理アップリンク制御チャネル、物理ランダムアクセスチャネル、またはサウンディング基準信号を有するチャネルのうちの少なくとも１つである、請求項２１に記載の装置。
【請求項２３】
その個々の基地局用に受信された前記パワー情報に基づいて第１または第２基地局のうちの少なくとも１つの基地局用のパワーヘッドルーム報告を生成するステップを含む請求項１７ないし２２のいずれか１項に記載の装置。
【請求項２４】
キャリア・アグリゲーション・パワー情報を基地局から受信するステップと、
前記ユーザー装置が、前記キャリア・アグリゲーション・パワー情報に更に依存したパワーにより、前記基地局に送信するようにするステップと、
を含む請求項１７ないし２３のいずれか１項に記載の装置。
【請求項２５】
稼働した際に、請求項１ないし１６のいずれか１項に記載の方法を実行するように構成されたコンピュータ実行可能命令を備えるコンピュータ・プログラム。
【発明の詳細な説明】
【技術分野】
【０００１】
本願開示は、方法および、装置に関し、また、更に詳しくは、通信ネットワークにおけるデータ送信を制御する方法および装置に関する。しかし、これらに限定するものではない。
【背景技術】
【０００２】
通信システムは、固定またはモバイル装置、機械タイプの端末、基地局などのアクセスノード、サーバー、および、これらに類似したものなどの２つ以上のノードの間における通信セッションを可能にする設備として見なすことができる。通信システムおよび、適合性を有する通信エンティティは、通常、そのシステムと関連する様々なエンティティによる実行が許容されている内容と、これを実現するべき方法と、を規定した所与の規格または仕様にしたがって動作している。例えば、規格、仕様、および、関係するプロトコルは、装置が通信する方法、通信の様々な側面を実装する方法、および、システム内において使用される装置を構成する方法を定義することができる。
【０００３】
ユーザーは、適切な通信装置により、通信システムにアクセスすることができる。ユーザーの通信装置は、しばしば、ユーザー装置（ＵＥ：Ｕｓｅｒ  Ｅｑｕｉｐｍｅｎｔ）または端末と呼ばれる。通信装置には、その他の関係者との間の通信を可能にするための適切な信号受信および、送信構成が提供されている。通常、ユーザー装置などの装置は、発話および、コンテンツデータなどの通信の受信および、送信を可能にするべく使用される。
【０００４】
通信は、無線キャリア上において搬送することができる。無線システムの例は、セルラーネットワークなどの地上波公共移動通信ネットワーク（ＰＬＭＮ：Ｐｕｂｌｉｃ  Ｌａｎｄ  Ｍｏｂｉｌｅ  Ｎｅｔｗｏｒｋ）、衛星に基づいた通信システム、ならびに、例えば、無線ローカルエリアネットワーク（ＷＬＡＮ：Ｗｉｒｅｌｅｓｓ  Ｌｏｃａｌ  Ａｒｅａ  Ｎｅｔｗｏｒｋ）などの様々な無線ローカルネットワークを含む。無線システムにおいては、通信装置は、例えば、アクセスネットワークの基地局および、／または別のユーザー装置などの別の通信装置との間において通信することができるトランシーバ局を提供している。基地局とユーザーの通信装置の間における通信の２つの方向は、従来、ダウンリンクおよび、アプリンクと呼ばれる。ダウンリンク（ＤＬ：ＤｏｗｎＬｉｎｋ）は、基地局から通信装置に向かう方向として、また、アップリンク（ＵＬ：ＵｐＬｉｎｋ）は、通信装置から基地局に向かう方向として、理解することができる。
【発明の概要】
【０００５】
１つの態様にしたがって、第１基地局に送信するための第１パワー情報をユーザー装置において受信するステップと、第２基地局に送信するための第２パワー情報をユーザー装置において受信するステップと、前記ユーザー装置が、前記第１パワー情報に依存した第１最大パワー以下である第１パワーにより、前記第１基地局に送信するようにするステップと、前記第１および、第２パワーが、前記ユーザー装置用に許容されている合計パワーを超過しないように、前記ユーザー装置が、前記第２パワー情報に依存した第２最大パワー以下の第２パワーにより、前記第２基地局に送信するようにするステップと、を有する方法が提供される。
【０００６】
本願方法は、第２最大パワーとの関係において第１最大パワーを定義するオフセットパラメータを受信するステップを有することができる。
【０００７】
第１基地局は、マスタ基地局であることができ、また、第２基地局は、補助基地局である。
【０００８】
第１パワー情報は、第１チャネルパワー情報を含むことができる。
【０００９】
本願方法は、前記ユーザー装置が、前記第１チャネルパワー情報に依存した第１最大チャネルパワー以下であるパワーにより、第１チャネル上において第１基地局に送信するようにするステップを有することができる。
【００１０】
チャネルは、物理アップリンク共有チャネル、物理アップリンク制御チャネル、物理ランダムアクセスチャネル、またはサウンディング基準信号を有するチャネルのうちの少なくとも１つであることができる。
【００１１】
本願方法は、その個々の基地局用に受信されたパワー情報に基づいて、第１または第２基地局のうちの少なくとも１つの基地局用のパワーヘッドルーム報告を生成するステップを有することができる。
【００１２】
本願方法は、キャリア・アグリゲーション・パワー情報を基地局から受信するステップと、前記ユーザー装置が、前記キャリア・アグリゲーション・パワー情報に更に依存したパワーにより、前記基地局に送信するようにするステップと、を有することができる。
【００１３】
本願方法は、ユーザー装置が、前記第１パワー情報に依存した最小パワーレベルを構成するようにするステップを有することができる。
【００１４】
本願方法は、アップリンク制御情報とアップリンクデータの両方を搬送するチャネルのパワーが、最小パワーレベル未満においてスケーリングされている場合に、ユーザー装置が、アップリンク制御情報のみを第１基地局に送信するようにするステップを有することができる。
【００１５】
本願方法は、第１基地局に対する送信が、第２基地局に対する送信よりも高い優先順位を有する場合に、前記第１パワーを変更済みの第１パワーに増大させるステップと、前記第１および、第２パワーが前記ユーザー装置用に許容されている合計パワーを超過している場合に、前記第２パワーを変更済みの第２パワーに減少させるステップと、ユーザー装置が、変更済みの第１パワーにおいて第１基地局に送信するようにするステップと、前記変更済みの第１および、第２パワーが、前記ユーザー装置用に許容されている合計パワーを超過しないように、ユーザー装置が、変更済みの第２パワーにおいて第２基地局に送信するようにするステップと、を有することができる。
【００１６】
本願方法は、ユーザー装置が、変更済みの第１パワーにおいて第１基地局にサブフレームを送信し、また、変更済みの第２パワーにおいて後続のまたはオーバーラップしたサブフレームのうちの少なくとも１つを第２基地局に送信するようにするステップを有することができる。
【００１７】
本願方法は、第２基地局に対する送信よりも高い優先順位の第１基地局に対する送信が、変更済みの第１パワーにおいて第１基地局に送信されている場合に、ユーザー装置が、第２基地局に対する少なくとも１つのチャネルの送信を休止するようにするステップを有することができる。
【００１８】
本願方法は、第２基地局に対する送信が存在していない状態において、第１パワーを変更済みの第１パワーに増大させるステップと、変更済みの第１パワーが、前記ユーザー装置用に許容されている合計パワーを超過しないように、前記ユーザー装置が、第１基地局に送信するようにするステップと、を有することができる。
【００１９】
本願方法は、前記第１および、第２パワーが、前記ユーザー装置用に許容されている合計パワーを超過していない場合に、ユーザー装置が、前記第１基地局に、また、前記第２基地局に、送信するようにするステップと、前記第１および、第２パワーが、前記ユーザー装置用に許容されている合計パワーを超過している場合に、ユーザー装置が、前記第１基地局に対してのみ送信するようにするステップと、前記第２基地局への送信のために、サブフレームを予約するステップと、を有することができる。
【００２０】
本願方法は、同期ＨＡＲＱプロセスのラウンドトリップ時間、非同期ＨＡＲＱの最短ラウンドトリップ時間、周期的リソース割当のうちの少なくとも１つに少なくとも部分的に基づいて、前記第２基地局に対する送信のために予約された前記サブフレームとなるように、サブフレームを判定するステップを有することができる。
【００２１】
別の態様によれば、少なくとも１つのプロセッサと、１つまたは複数のプログラム用のコンピュータコードを含む少なくとも１つのメモリと、を有し、少なくとも１つのメモリおよび、コンピュータコードは、少なくとも１つのプロセッサにより、前記装置が、少なくとも、第１基地局に対して送信するための第１パワー情報をユーザー装置において受信し、第２基地局に対して送信するための第２パワー情報をユーザー装置において受信し、前記ユーザー装置が、前記第１パワー情報に依存した第１最大パワー以下である第１パワーにより、前記第１基地局に送信するようにし、前記第１および、第２パワーが前記ユーザー装置用に許容されている合計パワーを超過しないように、前記ユーザー装置が、前記第２パワー情報に依存した第２最大パワー以下である第２パワーにより、前記第２基地局に送信するようにするべく、構成されている。装置が提供される。
【００２２】
少なくとも１つのプロセッサおよび、少なくとも１つのメモリは、第２最大パワーとの関係において第１最大パワーを定義するオフセットパラメータを受信するように構成することができる。
【００２３】
第１基地局は、マスタ基地局であることができ、また、第２基地局は、補助基地局である。
【００２４】
第１パワー情報は、第１チャネルパワー情報を含むことができる。
【００２５】
少なくとも１つのプロセッサおよび、少なくとも１つのメモリは、前記ユーザー装置が、前記第１チャネルパワー情報に依存した第１最大チャネルパワー以下であるパワーにより、第１チャネル上において第１基地局に送信するようにするべく構成することができる。
【００２６】
チャネルは、物理アップリンク共有チャネル、物理アップリンク制御チャネル、物理ランダムアクセスチャネル、またはサウンディング基準信号を有するチャネルのうちの少なくとも１つであることができる。
【００２７】
少なくとも１つのプロセッサおよび、少なくとも１つのメモリは、その個々の基地局用に受信されたパワー情報に基づいて第１または第２基地局のうちの少なくとも１つの基地局用のパワーヘッドルーム報告を生成するように構成することができる。
【００２８】
少なくとも１つのプロセッサおよび、少なくとも１つのメモリは、基地局から、キャリア・アグリゲーション・パワー情報を受信し、また、前記ユーザー装置が、前記キャリア・アグリゲーション・パワー情報に更に依存したパワーにより、前記基地局に送信するようにするべく構成することができる。
【００２９】
少なくとも１つのプロセッサおよび、少なくとも１つのメモリは、ユーザー装置が、前記第１パワー情報に依存した最小パワーレベルを構成するようにするべく構成することができる。
【００３０】
少なくとも１つのプロセッサおよび、少なくとも１つのメモリは、アップリンク制御情報とアップリンクデータの両方を搬送するチャネルのパワーが、最小パワーレベル未満においてスケーリングされている場合に、ユーザー装置が、アップリンク制御情報のみを第１基地局に送信するようにするべく構成することができる。
【００３１】
少なくとも１つのプロセッサおよび、少なくとも１つのメモリは、第１基地局に対する送信が、第２基地局に対する送信よりも高い優先順位を有する場合に、前記第１パワーを変更済みの第１パワーに増大させ、前記第１および、第２パワーが、前記ユーザー装置用に許容されている合計パワーを超過している場合に、前記第２パワーを変更済みの第２パワーに減少させ、前記ユーザー装置が、変更済みの第１パワーにおいて第１基地局に送信するようにし、また、前記変更済みの第１および、第２パワーが、前記ユーザー装置用に許容されている合計パワーを超過しないように、ユーザー装置を、変更済みの第２パワーにおいて第２基地局に送信するようにするべく、構成することができる。
【００３２】
少なくとも１つのプロセッサおよび、少なくとも１つのメモリは、ユーザー装置が、変更済みの第１パワーにおいてサブフレームを第１基地局に送信し、また、変更済みの第２パワーにおいて後続のまたはオーバーラップしたサブフレームのうちの少なくとも１つを第２基地局に送信するようにするべく、構成することができる。
【００３３】
少なくとも１つのプロセッサおよび、少なくとも１つのメモリは、第２基地局に対する送信よりも高い優先順位を有する第１基地局に対する送信が、変更済みの第１パワーにおいて第１基地局に送信されている場合に、ユーザー装置が、第２基地局に対する少なくとも１つのチャネルの送信を休止するようにするべく、構成することができる。
【００３４】
少なくとも１つのプロセッサおよび、少なくとも１つのメモリは、第２基地局に対する送信が存在していない状態において、第１パワーを変更済みの第１パワーに増大させ、また、変更済みの第１パワーが、前記ユーザー装置用に許容された合計パワーを超過しないように、前記ユーザー装置が、第１基地局に送信するようにするべく、構成することができる。
【００３５】
少なくとも１つのプロセッサおよび、少なくとも１つのメモリは、前記第１および、第２パワーが、前記ユーザー装置用に許容された合計パワーを超過していない場合に、ユーザー装置が、前記第１基地局に、また、前記第２基地局に、送信するようにし、前記第１および、第２パワーが、前記ユーザー装置用に許容されている合計パワーを超過している場合に、ユーザー装置が、前記第１基地局にのみ送信するようにし、また、前記第２基地局に対する送信のために、サブフレームを予約するように、構成することができる。
【００３６】
少なくとも１つのプロセッサおよび、少なくとも１つのメモリは、同期ＨＡＲＱプロセスのラウンドトリップ時間、非同期ＨＡＲＱの最短ラウンドトリップ時間、周期的リソース割当のうちの少なくとも１つに少なくとも部分的に基づいて、前記第２基地局に対する送信のために予約された前記サブフレームとなるように、サブフレームを判定するべく構成することができる。
【００３７】
別の態様にしたがって、装置が、第１基地局に送信するための第１パワー情報をユーザー装置において受信し、第２基地局に送信するための第２パワー情報をユーザー装置において受信する手段と、前記ユーザー装置が、前記第１パワー情報に依存した第１最大パワー以下である第１パワーにより、前記第１基地局に送信するようにする手段と、前記第１および、第２パワーが、前記ユーザー装置用に許容されている合計パワーを超過しないように、前記ユーザー装置が、前記第２パワー情報に依存した第２最大パワー以下である第２パワーにより、前記第２基地局に送信するようにする手段と、を備える装置が提供される。
【００３８】
本願装置は、第２最大パワーとの関係において第１最大パワーを定義するオフセットパラメータを受信する手段を有することができる。
【００３９】
第１基地局は、マスタ基地局であることができ、また、第２基地局は、補助基地局である。
【００４０】
第１パワー情報は、第１チャネルパワー情報を含むことができる。
【００４１】
本願装置は、前記第１チャネルパワー情報に依存した第１最大チャネルパワー以下であるパワーにより、前記ユーザー装置が第１チャネル上において第１基地局に送信するようにする手段を有することができる。
【００４２】
チャネルは、物理アップリンク共有チャネル、物理アップリンク制御チャネル、物理ランダムアクセスチャネル、またはサウンディング基準信号を有するチャネルのうちの少なくとも１つであることができる。
【００４３】
本願装置は、その個別の基地局用に受信されたパワー情報に基づいて第１または第２基地局のうちの少なくとも１つの基地局用のパワーヘッドルーム報告を生成する手段を有することができる。
【００４４】
本願装置は、キャリア・アグリゲーション・パワー情報を基地局から受信し、また、前記キャリア・アグリゲーション・パワー情報に更に依存したパワーにより、前記ユーザー装置が前記基地局に送信するようにする手段を有することができる。
【００４５】
本願装置は、ユーザー装置が、前記第１パワー情報に依存した最小パワーレベルを構成するようにする手段を有することができる。
【００４６】
本願装置は、アップリンク制御情報とアップリンクデータの両方を搬送するチャネルのパワーが、最小パワーレベル未満においてスケーリングされている場合に、ユーザー装置が、アップリンク制御情報のみを第１基地局に送信するようにする手段を有することができる。
【００４７】
本願装置は、第１基地局に対する送信が、第２基地局に対する送信よりも高い優先順位を有する場合に、前記第１パワーを変更済みの第１パワーに増大させ、前記第１および、第２パワーが前記ユーザー装置用に許容されている合計パワーを超過している場合に、前記第２パワーを変更済みの第２パワーに減少させ、前記ユーザーが、前記変更済みの第１パワーにより、第１基地局に送信するようにし、また、前記変更済みの第１および、第２パワーが、前記ユーザー装置用に許容されている合計パワーを超過しないように、前記ユーザーが、変更済みの第２パワーにおいて第２基地局に送信するようにする手段を有することができる。
【００４８】
本願装置は、ユーザー装置が、変更済みの第１パワーにおいてサブフレームを第１基地局に送信し、また、変更済みの第２パワーにより、後続のまたはオーバーラップしたサブフレームのうちの少なくとも１つを第２基地局に送信するようにする手段を有することができる。
【００４９】
本願装置は、第２基地局に対する送信よりも高い優先順位の第１基地局に対する送信が、変更済みの第１パワーにおいて第１基地局に送信されている場合に、ユーザー装置が、第２基地局に対する少なくとも１つのチャネルの送信を休止するようにする手段を有することができる。
【００５０】
本願装置は、第２基地局に対する送信が存在していない状態において、第１パワーを変更済みの第１パワーに増大させ、また、変更済みの第１パワーが、前記ユーザー装置用に許容されている合計パワーを超過しないように、前記ユーザー装置が、第１基地局に送信するようにする手段を有することができる。
【００５１】
本願装置は、前記第１および、第２パワーが、前記ユーザー装置用に許容されている合計パワーを超過しない場合に、ユーザー装置が、前記第１基地局に、また、前記第２基地局に、送信するようにし、前記第１および、第２パワーが、前記ユーザー装置用に許容されている合計パワーを超過している場合に、前記ユーザー装置が、前記第１基地局にのみ送信するようにし、また、前記第２基地局に対する送信のために、サブフレームを予約する手段を有することができる。
【００５２】
本願装置は、同期ＨＡＲＱのラウンドトリップ時間、非同期ＨＡＲＱの最短ラウンドトリップ時間、周期的リソース割当のうちの少なくとも１つに少なくとも部分的に基づいて、前記第２基地局に対する送信のために予約された前記サブフレームとなるように、サブフレームを判定する手段を有することができる。
【００５３】
また、１つまたは複数の方法を実行するように適合されたプログラムコード手段を有するコンピュータ・プログラムが提供することができる。コンピュータ・プログラムは、担持体媒体により、保存することができると共に／または、その他の方法で実施することができる。
【００５４】
以下においては、一例として、添付図面が参照されている。
【図面の簡単な説明】
【００５５】
【図１】１つの基地局および、複数の通信装置を有する通信システムの概略図を示す。
【図２】いくつかの実施形態によるモバイル通信装置の概略図を示す。
【図３】基地局の制御装置を示す。
【図４】２つの基地局との間において通信するユーザー装置の概略図を示す。
【図５ａ】パワーリソース割当のグラフィカルな図を示す。
【図５ｂ】代替パワーリソース割当のグラフィカルな図を示す。
【図６】２つの基地局の概略図を示す。
【図７Ａ】ユーザー装置内においてパワー割当を構成する方法を示す。
【図７Ｂ】ユーザー装置内においてパワー割当を構成する方法を示す。
【図８Ａ】ユーザー装置内においてパワー割当を構成する方法を示す。
【図８Ｂ】ユーザー装置内においてパワー割当を構成する方法を示す。
【図８Ｃ】ユーザー装置内においてパワー割当を構成する方法を示す。
【発明を実施するための形態】
【００５６】
以下、モバイル通信装置に対してサービスする無線またはモバイル通信システムを参照し、特定の例示用の実施形態について説明する。例示用の実施形態について詳細に説明する前に、説明対象である例の基礎をなす技術の理解を支援するべく、図１および、図２を参照し、無線通信システムおよび、モバイル通信装置の特定の一般的な原理について簡潔に説明する。
【００５７】
無線通信システム１００においては、モバイル通信装置またはユーザー装置（ＵＥ）１０２、１０３、１０５には、少なくとも１つの基地局または類似の無線送信および、／または受信ノードまたはポイントを介して、無線アクセスが提供される。
【００５８】
ＬＴＥシステムにおいては、基地局は、通常、その動作と、基地局との通信状態にあるモバイル装置の管理と、を可能にするように、少なくとも１つの適切なコントローラ装置によって制御されている。コントローラ装置は、基地局の一部分であることができる。図１においては、制御装置１０８および、１０９が、個々のマクロ基地局１０６および、１０７を制御するものとして、示されている。基地局の制御装置は、その他の制御エンティティと相互接続することができる。図１においては、基地局１０６および、１０７は、ゲートウェイ１１２を介して、更に広範な通信ネットワーク１１３に対して接続されるものとして、示されている。別のネットワークに接続するべく、更なるゲートウェイ機能が提供することができる。また、相対的に小さな基地局１１６、１１８、および、１２０は、例えば、別個のゲートウェイ機能により、また／または、マクロ基地局のコントローラを介して、ネットワーク１１３に接続することができる。この例においては、基地局１１６および、１１８は、ゲートウェイ１１１を介して接続されており、基地局１２０は、コントローラ装置１０８を介して接続している。いくつかの実施形態においては、相対的に小さな既知局は、提供されない場合がある。
【００５９】
次に、通信装置２００の概略的な、部分的に断面になった、図を示す図２を参照し、可能なモバイル通信装置について更に詳細に説明することとする。このような通信装置は、しばしば、ユーザー装置（ＵＥ）または端末と呼ばれる。適切なモバイル通信装置は、無線信号を送信および、受信する能力を有する任意の装置によって提供することができる。非限定的な例は、携帯電話または「スマートフォン」と呼ばれるもの、無線インターフェイスカードまたはその他の無線インターフェイス設備（例えば、ＵＳＢドングル）が提供されたコンピュータ、無線通信能力が提供されたパーソナルデータアシスタント（ＰＤＡ：Ｐｅｒｓｏｎａｌ  Ｄａｔａ  Ａｓｓｉｓｔａｎｔ）またはタブレット、あるいは、これらの任意の組合せ、あるいは、これらに類似したものなどの移動局（ＭＳ：Ｍｏｂｉｌｅ  Ｓｔａｔｉｏｎ）またはモバイル装置を含む。モバイル通信装置は、例えば、音声、電子メール（ｅメール）、テキストメッセージ、マルチメディアなどのような通信を搬送するためのデータの通信を提供することができる。したがって、ユーザーには、自身の通信装置を介して、多数のサービスが提供および、供与されえる。これらのサービスの非限定的な例は、双方向または多方向通話、データ通信またはマルチメディアサービス、あるいは、単に、インターネットなどのデータ通信ネットワークシステムに対するアクセスを含む。また、ユーザーには、ブロードキャストまたはマルチキャストデータを提供することができる。コンテンツの非限定的な例は、ダウンロード、テレビおよび、ラジオ番組、ビデオ、広告、様々な警報、ならびに、その他の情報を含む。
【００６０】
モバイル装置２００は、受信のための適切な装置を介して、エアまたは無線インターフェイス２０７上において、信号を受信することができ、また、無線信号を送信するための適切な装置を介して、信号を送信することができる。図２においては、トランシーバ装置は、ブロック２０６により、概略的に表記されている。トランシーバ装置２０６は、例えば、無線部分および、関連するアンテナ構成により、提供することができる。アンテナ構成は、モバイル装置の内部においてまたはその外部において、配置することができる。
【００６１】
モバイル装置には、通常、少なくとも１つのデータ処理エンティティ２０１、少なくとも１つのメモリ２０２、および、その他の可能なコンポーネント２０３が提供されており、これらは、モバイル装置が実行するべく設計されているソフトウェアおよび、ハードウェアによって支援されたタスクの実行の際に使用され、このタスクには、アクセスシステムおよび、その他の通信装置に対するアクセスおよび、これらとの間における通信の制御が含まれる。データ処理、保存、および、その他の関連する制御装置は、適切な回路基板上において、また／または、チップセット内において、提供することができる。この機能は、参照符号２０４によって表記されている。ユーザーは、キーパッド２０５、音声コマンド、接触検知スクリーンまたはパッド、これらの組合せ、あるいは、これらに類似したものなどの適切なユーザーインターフェイスにより、モバイル装置の動作を制御することができる。また、ディスプレイ２０８、スピーカ、および、マイクロフォンを提供することもできる。更には、モバイル通信装置は、その他の装置に対する、また／または、例えば、ハンズフリー装置などの外部装置を自身に対して接続するための、適切なコネクタ（有線または無線）を有することができる。
【００６２】
通信装置１０２、１０３、１０５は、符号分割多重アクセス（ＣＤＭＡ：Ｃｏｄｅ  Ｄｉｖｉｓｉｏｎ  Ｍｕｌｔｉｐｌｅ  Ａｃｃｅｓｓ）または広帯域ＣＤＭＡ（ＷＣＤＭＡ：Ｗｉｄｅｂａｎｄ  ＣＤＭＡ）などの様々なアクセス技法に基づいた通信システムにアクセスすることができる。その他の非限定的な例は、時分割多重アクセス（ＴＤＭＡ：Ｔｉｍｅ  Ｄｉｖｉｓｉｏｎ  Ｍｕｌｔｉｐｌｅ  Ａｃｃｅｓｓ）、周波数分割多重アクセス（ＦＤＭＡ：Ｆｒｅｑｕｅｎｃｙ  Ｄｉｖｉｓｉｏｎ  Ｍｕｌｔｉｐｌｅ  Ａｃｃｅｓｓ）、ならびに、インターリーブされた周波数分割多重アクセス（ＩＦＤＭＡ：Ｉｎｔｅｒｌｅａｖｅｄ  ＦＤＭＡ）、シングルキャリア周波数分割多重アクセス（ＳＣ−ＦＤＭＡ：Ｓｉｎｇｌｅ  Ｃａｒｒｉｅｒ  ＦＤＭＡ）、および、直交周波数分割多重アクセス（ＯＦＤＭＡ：Ｏｒｔｈｏｇｏｎａｌ  ＦＤＭＡ）などのこれらの様々な方式、空間分割多重アクセス（ＳＤＭＡ：Ｓｐａｃｅ  Ｄｉｖｉｓｉｏｎ  Ｍｕｌｔｉｐｌｅ  Ａｃｃｅｓｓ）などを有する。
【００６３】
無線通信システムの一例は、第３世代パートナーシッププロジェクト（３ＧＰＰ：３ｒｄＧｅｎｅｒａｔｉｏｎ  Ｐａｒｔｎｅｒｓｈｉｐ  Ｐｒｏｊｅｃｔ）によって標準化されたアーキテクチャである。最新の３ＧＰＰに基づいた規格は、しばしば、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）無線アクセス技術のロングタームエボリューション（ＬＴＥ：Ｌｏｎｇ  Ｔｅｒｍ  Ｅｖｏｌｕｔｉｏｎ）と呼ばれる。３ＧＰＰ仕様の様々な開発ステージは、リリースと呼ばれている。ＬＴＥの更に最近の規格は、しばしば、ＬＴＥ−Ａｄｖａｎｃｅｄ（ＬＴＥ−Ａ）と呼ばれている。ＬＴＥは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と呼ばれるモバイルアーキテクチャを利用している。このようなシステムの基地局は、ｅＮＢ（ｅｖｏｌｖｅｄ  Ｎｏｄｅ  Ｂまたはｅｎｈａｎｃｅｄ  Ｎｏｄｅ  Ｂ）と呼ばれ、また、通信装置に向かうユーザープレーンＲＬＣ／ＭＡＣ／ＰＨＹ（Ｒａｄｉｏ  Ｌｉｎｋ  Ｃｏｎｔｒｏｌ／Ｍｅｄｉｕｍ  Ａｃｃｅｓｓ  Ｃｏｎｔｒｏｌ／Ｐｈｙｓｉｃａｌ  Ｌａｙｅｒ  Ｐｒｏｔｏｃｏｌ）および、制御プレーンＲＲＣ（Ｒａｄｉｏ  Ｒｅｓｏｕｒｃｅ  Ｃｏｎｔｒｏｌ）プロトコルターミネーションなどのＥ−ＵＴＲＡＮ機能を提供している。無線アクセスシステムのその他の例は、無線ローカルエリアネットワーク（ＷＬＡＮ）および、／またはＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの技術に基づいたシステムの基地局によって提供されるものを含む。
【００６４】
ただし、ＬＴＥシステムは、ＲＮＣの提供を伴うことなしに、所謂「フラット」アーキテクチャを有するものと見なすことができ、むしろ、（ｅ）ＮＢは、ＳＥＡ−ＧＷ（Ｓｙｓｔｅｍ  Ａｒｃｈｉｔｅｃｔｕｒｅ  Ｅｖｏｌｕｔｉｏｎ  Ｇａｔｅｗａｙ）および、ＭＭＥ（Ｍｏｂｉｌｉｔｙ  Ｍａｎａｇｅｍｅｎｔ  Ｅｎｔｉｔｙ）との通信状態にあり、これらのエンティティは、プールすることができ、これは、複数のこれらのノードが、複数の（ｅ）ＮＢに対して（これらの組に対して）サービスしえることを意味している。それぞれのＵＥは、一時点において、１つのＭＭＥおよび、／またはＳ−ＧＷによってのみ、サービスされ、また、（ｅ）ＮＢは、現時点の関連付けを維持している。ＳＡＥ−ＧＷは、ＬＴＥにおける「ハイレベル」なユーザープレーンコアネットワーク要素であり、これは、Ｓ−ＧＷおよび、Ｐ−ＧＷ（それぞれ、Ｓｅｒｖｉｎｇ  ＧａｔｅＷａｙおよび、Ｐａｃｋｅｔ  ｄａｔａ  ｎｅｔｗｏｒｋ  ＧａｔｅＷａｙである）から構成することができる。Ｓ−ＧＷおよび、Ｐ−ＧＷの機能は、分離することができ、また、これらは、一緒に配置する必要はない。
【００６５】
図３は、基地局などのアクセスシステムの通信局に結合されると共に／またはこれを制御するための通信システム用の制御装置の一例を示している。いくつかの実施形態においては、基地局は、別個の制御装置を有している。その他の実施形態においては、制御装置は、無線ネットワークコントローラなどの別のネットワーク要素であることができる。いくつかの実施形態においては、それぞれの基地局は、このような制御装置のみならず、無線ネットワークコントローラ内において提供された制御装置を有することができる。
【００６６】
制御装置１０９は、システムのサービスエリア内における通信に対する制御を提供するように構成することができる。制御装置１０９は、少なくとも１つのメモリ３０１、少なくとも１つのデータ処理ユニット３０２、３０３、および、入出力インターフェイス３０４を有する。インターフェイスを介して、制御装置は、基地局の受信機および、送信機に結合することができる。例えば、制御装置１０９は、適切なソフトウェアコードを実行して基地局の間の通信を許容する制御機能を提供するように、構成することができる。
【００６７】
３ＧＰＰ仕様のいくつかのリリースにおいては、ＵＥは、マスタｅＮＢ（ＭｅＮＢ：Ｍａｓｔｅｒ  ｅＮＢ）とセカンダリｅＮＢ（ＳｅＮＢ：Ｓｅｃｏｎｄａｒｙ  ｅＮＢ）の両方に同時に接続することができる。ＵＥの無線リソースは、ＭｅＮＢおよび、ＳｅＮＢ内において配置された２つの別個のスケジューラによって制御される。これは、デュアル接続と呼ばれる。
【００６８】
ＲＡＮ２および、ＲＡＮ１においては、リリース１２の３ＧＰＰの作業項目である「Ｄｕａｌ  Ｃｏｎｎｅｃｔｉｖｉｔｙ  ｆｏｒ  ＬＴＥ」［ＲＰ−１３２０６９］が開発中である。複数Ｒｘ／Ｔｘ（受信機／送信機）のＵＥは、ＲＲＣ＿ＣＯＮＮＥＣＴＥＤ状態においては、ＭｅＮＢおよび、ＳｅＮＢ内に配置された２つの別個のスケジューラによって提供される無線リソースを利用するように構成することができる。ＭｅＮＢとＳｅＮＢの間のバックホールリンクは、理想的なものではなく、その結果、ｅＮＢの間のシグナリングの遅延が約２０ｍｓになる可能性があり、したがって、ビットレートが制限される。
【００６９】
デュアル接続ＵＥは、ＭｅＮＢとＳｅＮＢの間のバックホールにおける遅延に起因し、ＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｌｅｄｇｅｍｅｎｔ）および、ＣＳＩ（Ｃｈａｎｎｅｌ  Ｓｔａｔｅ  Ｉｎｆｏｒｍａｔｉｏｎ）のみならず、相対的に高位層の制御情報などのアップリンク制御情報（ＵＣＩ：Ｕｐｌｉｎｋ  Ｃｏｎｔｒｏｌ  Ｉｎｆｏｒｍａｔｉｏｎ）をＭｅＮＢおよび、ＳｅＮＢの両方に送信する能力を有する必要がある。ＵＥは、いくつかのスケジューリング制約を仮定することにより（同期ネットワークを仮定することにより）、ＵＣＩを一時点においてｅＮＢのうちの１つに対してのみ送信することができる。
【００７０】
また、ＭｅＮＢとＳｅＮＢの間にスケジューリング制約が存在していない状況も考慮される。このケースにおいては、ＵＥは、ＭｅＮＢおよび、ＳｅＮＢ内のセルの間においてキャリア・アグリゲーションタイプの動作を使用することができ、また、ＵＣＩのみならず、その他の制御情報および、データをもＭｅＮＢ内のプライマリセル（Ｐｃｅｌｌ：Ｐｒｉｍａｒｙ  ｃｅｌｌ）においておよび、ＳｅＮＢ内のセカンダリセル（Ｓｃｅｌｌ：Ｓｅｃｏｎｄａｒｙ  ｃｅｌｌ）において同時に送信することができる。帯域間キャリア・アグリゲーションのケースと同様に、ＵＥは、ＭｅＮＢおよび、ＳｅＮＢに対する送信のためのパワー増幅器（ＰＡ：Ｐｏｗｅｒ  Ａｍｐｌｉｆｉｅｒ）を含む別個の送信チェーンを有することができる。ＰＡは、ＭｅＮＢのみまたはＳｅＮＢのみのリソースが利用されるケースにおいては、ＵＥパワークラスによって定義されるフル送信（ｔｘ）パワーによって送信する能力を有する。ただし、ＭｅＮＢおよび、ＳｅＮＢにおける独立的なスケジューラは、ＵＥが、例えば、規制上の制限によって設定された送信パワー制限を超過するように、ＵＬリソースを割り当てる可能性がある。
【００７１】
例えば、規制当局によって設定された限度内において合計送信パワーを維持するべく、ＵＥが、デュアル接続動作のために構成される際には、図４に示されているメカニズムを実装することができる。ＳｅＮＢおよび、ＭｅＮＢに対する最大ＵＬ送信パワーは、準静的に構成されている（例えば、専用のＲＲＣシグナリングを介したＵＥ固有の構成である）。ＵＥは、それぞれ、ＳｅＮＢおよび、ＭｅＮＢ用のパワー増幅器（ＰＡ）を含む別個の送信機チェーンを有しており、また、いずれも、許容された最大送信パワーを単独で提供しえるように、サイズ設定されえるものと仮定されている。
【００７２】
通常、ＵＥのＵＬ送信パワー構成は、許容されている合計送信パワーをＵＥが超過できないようなものになっている（例えば、２３ｄＢｍまたは２００ｍＷパワークラスを有するＵＥは、２５ｍＷが、ＳｅＮＢに対する最大パワーとなり、また、７５ｍＷが、ＭｅＮＢに対する最大送信パワーとなるように、パワーを分割するべく構成することができる）。合計送信パワーの一部分は、通常のＭＰＲ値のために予約することができる（例えば、この例においては、１００ｍＷである）。
【００７３】
図５ａおよび、図５ｂには、パワー割当の一例が付与されている。これは、ＵＥの（規制当局によって付与された）最大送信パワーが、２３ｄＢｍ（＝２００ｍＷ）であるものと仮定している。図５ａにおいて示されているベースラインシナリオにおいては、利用可能な最大送信パワーが、ＭｅＮＢとＳｅＮＢの間において均等に分割されている。図５ｂにおいて示されている一実施形態においては、利用可能な最大送信パワーリソースは、ＭｅＮＢとＳｅＮＢの間おいて不均等に分割されており、ＭｅＮＢとＳｅＮＢの送信パワーの間には、予め定義されたオフセット（この例においては、３ｄＢである）が存在している。
【００７４】
図６は、ＭｅＮＢのｅＮＢの送信パワーがＳｅＮＢの送信パワーを大幅に上回っているケースを示している。この結果、ＭｅＮＢのＤＬカバレージエリアは、ＳｅＮＢのものを上回る。ただし、ＵＬカバレージは、主には、ＵＬのパワーおよび、ｅＮＢの感度に依存していることから、ＭｅＮＢとＳｅＮＢのＵＬカバレージエリアは、類似している。ボトルネックを伴うことなしに、ＭｅＮＢの十分なＵＬカバレージを実現するべく、ＭｅＮＢとＳｅＮＢの間のＵＬカバレージ（ならびに、送信パワー）を均衡させるために利用可能な十分な手段が存在する必要がある。いくつかの構成においては、最大ＵＬ送信パワーレベルにおける差は、ＭｅＮＢとＳｅＮＢのＤＬ送信パワーレベルにおける差に等しい。この結果、ＭｅＮＢとＳｅＮＢのＤＬおよび、ＵＬカバレージエリアが均衡することになる。
【００７５】
ＭｅＮＢとＳｅＮＢの間におけるパワー共有を制御するべく、異なる方法が存在している。１つの方式は、相対的に高位の層を介して構成されえるオフセットパラメータにより、これを制御するというものである。オフセットパラメータは、ＭｅＮＢとの関係においてＳｅＮＢの最大送信パワーを定義することができる。
【００７６】
表１は、オフセットパラメータの異なる例示用の値を有するＭｅＮＢおよび、ＳｅＮＢ用の最大送信パワー値（ｄＢｍ）を示している。この例における最大送信パワーについて仮定された値は、２３ｄＢｍである。
【表１】
2018139447.tif 000003
【００７７】
この本願方法は、２Ｔｘ／２ＲｘのＵＥにおいてＭｅＮＢとＳｅＮＢの間のＵＬカバレージを均衡させる手段を提供する。ＵＬリソースのスケジューリングは、相対的に単純であり、その理由は、所与のｅＮＢにおいてスケジューラのために利用可能な送信パワーが固定されているからである。
【００７８】
また、ＭｅＮＢおよび、ＳｅＮＢ固有の送信パワー限度に加えて、チャネル固有のパワー限度も構成されえる。ＭｅＮＢまたはＳｅＮＢ固有の限度は、ＰＵＳＣＨ（Ｐｈｙｓｉｃａｌ  Ｕｐｌｉｎｋ  Ｓｈａｒｅｄ  Ｃｈａｎｎｅｌ）および、ＳＲＳ（Ｓｏｕｎｄｉｎｇ  Ｒｅｆｅｒｅｎｃｅ  Ｓｉｇｎａｌ）に適用することができるが、ＰＵＣＣＨ（Ｐｈｙｓｉｃａｌ  Ｕｐｌｉｎｋ  Ｃｏｎｔｒｏｌ  Ｃｈａｎｎｅｌ）またはＰＲＡＣＨ（Ｐｈｙｓｉｃａｌ  Ｒａｎｄｏｍ  Ａｃｃｅｓｓ  Ｃｈａｎｎｅｌ）には適用されない。別個の最大送信パワー限度が、ＰＵＣＣＨまたはＰＲＡＣＨについて割り当てられえる。いくつかの実施形態においては、ＰＲＡＣＨ／ＰＵＣＣＨの最大送信パワー限度は、ｅＮＢに固有のものであることができる。ＰＵＳＣＨの送信パワーを判定する際には、準静的に構成された最大ｅＮＢ固有の送信パワーを使用することができる。
【００７９】
ＵＥがパワーヘッドルーム報告を算出する際には、準静的に構成された最大ｅＮＢ固有送信パワー限度を使用することができる。パワーヘッドルーム報告は、有用な情報を提供し、その理由は、報告される値が、他方のｅＮＢ内のスケジューリング決定に依存していないからである。ＰＨレポートを受信したｅＮＢは、どれだけの量のアップリンクリソースおよび、合計ＵＥ送信パワーが他方のｅＮＢに対する送信のために使用されたのかを知ることになる。
【００８０】
いくつかのＵＬパワー制御優先順位づけおよび、スケーリング規則は、ＵＣＩがＣＡのケースにおいてＰｃｅｌｌ上においてのみ送信されるものと仮定している。ＵＣＩが同時にＳｃｅｌｌ上において送信されるケースをサポートするべく、デュアル接続に加えて、ＣＡが、ＭｅＮＢまたはＳｅＮＢ内において使用されている場合には、ＵＥは、まず、デュアル接続のために、上述のＵＬ送信パワー割当規則を適用することができ、また、次いで、ＭｅＮＢおよび、／またはＳｅＮＢ内のＣＡ用に定義されたパワースケーリング規則を適用することができる。
【００８１】
ＵＥが、ＵＣＩと共にＰＵＳＣＨを送信しており（例えば、ＨＡＲＱ−ＡＣＫおよび、／またはＣＳＩ）、また、パワーをスケールダウンしなければならない場合には、フォールバック動作を規定することが可能であり、この場合には、ＵＣＩのみが、即ち、ＰＵＣＣＨが、予め定義されたリソース内において送信される。このようなフォールバック動作をトリガするべく、（例えば、パワー低減の量との関係における）予め定義されたまたは構成可能なパワー閾値が存在することができる。
【００８２】
いくつかのＵＬパワー制御優先順位付けおよび、スケーリング規則は、サブフレームレベルのパワー調節に基づいている。デュアル接続のケースにおいては、ＭｅＮＢおよび、ＳｅＮＢにおける送信は、同期化されない場合があり、即ち、サブフレーム境界がアライメントされず、その結果、サブフレームに固有のスケーリングおよび、優先順位づけ規則が適切ではなくなる場合がある。図７に示されているように、非同期ＳｅＮＢおよび、ＭｅＮＢのケースにおいて、ＵＥが、相対的に高い優先順位のＵＬチャネル（例えば、ＵＣＩを有するＰＵＣＣＨまたはＰＵＳＣＨ）を送信し、また、ＵＬのＰＣ（Ｐｏｗｅｒ  Ｃｏｎｔｒｏｌ）式が、ＭｅＮＢとＳｅＮＢの間のパワー分割用に構成されているものよりも大きな送信パワーを示している場合には、ＵＥは、後続のまた／またはオーバーラップしたサブフレーム内において、限度を超過し、また、他方のｅＮＢ用のパワーをスケールダウンするべく許容することができる。ＵＥが、他方のｅＮＢ用の相対的に低い優先順位のトラフィックの継続する送信を有している場合には、その継続している送信がドロップされる。複数のチャネルが同時に他方のｅＮＢについて送信されている場合には、これらの一部分をドロップすることができる。
【００８３】
この非同期のケースにおいては、ＵＬ送信パワーを判定する際に、ＵＥが他方のｅＮＢにおけるパワー制御を考慮する必要がなくなるように、ＭｅＮＢとＳｅＮＢの間における厳格なパワー分割を構成することができる。したがって、ＵＥは、他方のｅＮＢにおいて後から始まる潜在的な高優先順位の送信を考慮する必要がなくなる。したがって、相対的に厳格なＵＥ処理時間を回避することが可能であり、また、変更を伴うことなしに、現時点のリリース１０のＣＡパワースケーリングおよび、優先順位付けを使用することができる。
【００８４】
非同期のケースにおいては、ＭｅＮＢとＳｅＮＢの間のパワー共有を制御するための別の方法は、送信パワーを時間において共有するというものであることができる。この実施形態においては、ＵＥが、所与のサブフレームに対するｅＮＢからのアップリンクスケジューリング認可を受信した際に、あるいは、ＵＥが、例えば、スケジューリング要求、ランダムアクセスプリアンブル、またはＰＤＳＣＨ  ＨＡＲＱ−ＡＣＫフィードバックをｅＮＢに対して所与のサブフレーム上において送信するニーズを判定した場合に、ＵＥは、パワー制御規則にしたがって送信パワーを判定し、この場合に、最大送信パワーは、ＵＥパワークラスによって定義されたＵＥのフル送信パワーとなるものと仮定される。ＵＥが、部分的に先行すると共に第１ｅＮＢに対する所与のサブフレームと部分的にオーバーラップした他方の第２ｅＮＢに対する継続送信を有しており、また、ＵＥが、合計送信パワー限度を超過することになる場合には、ＵＥは、第１ｅＮＢには送信せず、第２ｅＮＢへの送信を継続することになる。ＵＥは、ドロップされた第１ｅＮＢに対する送信の再送信のために、予想サブフレームを判定する。
【００８５】
ＵＥは、第１ｅＮＢに対する送信のために、予想再送信サブフレームを予約する。また、ＵＥは、ドロップされた送信用に判定された送信パワーに基づいて送信パワーの共有をも予約する。ＵＥが、スケジューリング認可に基づいて、部分的に先行すると共に第１ｅＮＢ用に予約されたサブフレームと部分的にオーバーラップしたサブフレーム上において第２ｅＮＢに送信するニーズを判定した場合には、ＵＥは、パワー制御規則にしたがって送信パワーを判定し、この場合に、最大送信パワーは、ＵＥパワークラスによって定義されたＵＥのフル送信パワーになるものと仮定される。組み合わせられた第１および、第２ｅＮＢに対する送信パワーが、合計送信パワー限度を超過することになる場合には、ＵＥは、第２ｅＮＢには送信せず、ＵＥは、ドロップされた第２ｅＮＢに対する送信の再送信のために、予想サブフレームを判定する。ＵＥは、ＵＥ送信を制御する通常のメカニズムおよび、手順にしたがって、第１予約サブフレーム上において第１ｅＮＢに送信するかどうかのみならず、送信パワーをも判定する。
【００８６】
言い換えると、ＵＥが第１基地局に対する送信のためにサブフレームを予約した場合に、別のサブフレーム内における第１基地局に対する送信のために判定された第１パワーおよび、第２基地局に対する送信のために判定された第２パワーが、ＵＥ用に許容されている合計パワーを超過していない場合には、ＵＥは、少なくとも部分的にオーバーラップしたサブフレーム上において第２基地局に送信する。第１パワーおよび、第２パワーが、ＵＥ用に許容されている合計パワーを超過している場合には、ＵＥは、第２基地局には送信せず、また、第２基地局のためにサブフレームを予約する。このフェーズにおいては、ＵＥは、必ずしも、第１基地局のために予約されたサブフレーム上において第１基地局に送信するかどうかに関する情報をいまだ有してはいないことに留意されたい。
【００８７】
ＵＥが、部分的に先行すると共に部分的にオーバーラップしたサブフレーム上における送信または予約サブフレーム上における予想再送信をドロップするかどうかを判定した際に、ＵＥは、相対的に低いＵＬチャネル優先順位を有する送信をドロップすることができる。
【００８８】
ＵＥは、例えば、ＰＵＳＣＨのケースにおけるように、同期ＨＡＲＱラウンドトリップ時間に基づいて、例えば、ＰＤＳＣＨのＨＡＲＱ−ＡＣＫ送信のケースにおけるように、非同期ＨＡＲＱの最短ラウンドトリップ時間に基づいて、例えば、スケジューリング要求のケースにおけるように、周期的リソース割当に基づいて、あるいは、例えば、ランダムアクセスプリアンブルのケースにおけるように、ランダムアクセス手順に基づいて、ドロップされた送信の再送信のために、予想サブフレームを判定することができる。
【００８９】
この結果、送信が、許容されているパワーを超過した場合に、ＵＥ内における相対的に短い処理時間を必要とすることなしに、ＳｅＮＢ信号上においてＭｅＮＢ信号を優先順位付けすることができる。
【００９０】
ＭｅＮＢおよび、ＳｅＮＢが同期している（あるいは、ＵＥが、ＵＬ認可を相対的に高速で処理する能力を有し、また、後続のサブフレームスケジューリングを事前に認知している）ケースにおいて、他方のｅＮＢ内におけるＵＥ送信が存在していない場合には、ＵＥは、すべての送信パワー（例えば、２３ｄＢｍ）をｅＮＢのうちの１つのｅＮＢ内において使用することができる（ただし、ＰＨレポートは、ネガティブとなる）。他方のｅＮＢ用に予約された過剰な送信パワー予約が存在している場合には、ＵＥは、すべての利用可能な送信パワーを他方のｅＮＢのために使用することができる（ただし、ＰＨレポートは、このケースにおいても、ネガティブとなる）。
【００９１】
図７において示されているように、同期したＭｅＮＢおよび、ＳｅＮＢのケースにおいて、ＵＥが、相対的に高い優先順位のＵＬチャネル（例えば、ＵＣＩを有するＰＲＡＣＨ、ＰＵＣＣＨ、またはＰＵＳＣＨ）を送信し、また、ＵＬのＰＣ式が、ＭｅＮＢとＳｅＮＢの間におけるパワー分割用に構成されたものよりも大きなパワーを示している場合には、ＵＥは、限度を（構成されている場合に、最大で、チャネル固有の限度まで）超過し、また、他方のｅＮＢ内における相対的に低い優先順位のトラフィックのパワーをスケールダウンするべく、許容することができる。
【００９２】
他方のｅＮＢにおいて高優先順位のトラフィックが存在している場合にも、例えば、１つのＰＲＢ（Ｐｈｙｓｉｃａｌ  Ｒｅｓｏｕｒｃｅ  Ｂｌｏｃｋ）をＰＵＳＣＨ、ＰＵＣＣＨ、またはＳＲＣ上において送信する可能性が常に存在するように、最大ｅＮＢ固有パワーに加えて、最小ｅＮＢ固有パワー限度を構成することもできる。
【００９３】
不必要なパワースケーリングおよび、／またはチャネルドロッピングを回避することができるように、ＵＥにおける最適なＵＬ送信パワーの使用法をサポートすることができる。更には、ｅＮＢのうちの１つのｅＮＢのＵＬリソースを他方のｅＮＢにおける相対的に高優先順位の送信によって完全に封じることはできない。
【００９４】
ＴＤＤ（Ｔｉｍｅ  Ｄｉｖｉｓｉｏｎ  Ｄｕｐｌｅｘｉｎｇ）が、ｅＮＢのうちの１つのｅＮＢ内において使用され、また、ＦＤＤ（Ｆｒｅｑｕｅｎｃｙ  Ｄｉｖｉｓｉｏｎ  Ｄｕｐｌｅｘｉｎｇ）が、他方のｅＮＢ内において使用されている場合には（例えば、ＴＤＤのＳｅＮＢおよび、ＦＤＤのＭｅＮＢ）、ＴＤＤのＵＬが可能であるサブフレーム内において、準静的なパワー割当のみが考慮される。ｅＩＭＴＡ（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ）のケースにおいては、可能なＴＤＤのＵＬサブフレームは、ＴＤＤのＳＩＢ１シグナリングＵＬ／ＤＬ構成にしたがって、あるいは、有効なＤＣＩシグナリングＵＬ／ＤＬ構成にしたがって、判定することができる。ｅＮＢが、これらの２つの選択肢の間の選択結果をシグナリングすることができる。選択は、バックホールレイテンシーに基づいたものであることができる。
【００９５】
ＭｅＮＢおよび、ＳｅＮＢ固有の最大ＵＬ送信パワーを構成することになる制御装置は、ＭｅＮＢ内に存在することができる。必要とされるデータ処理装置、ならびに、基地局装置、通信装置、および、任意のその他の適切な装置の機能は、１つまたは複数のデータプロセッサによって提供することができる。記述されている機能は、１つまたは複数のプロセッサにより、あるいは、統合されたプロセッサにより、提供することができる。データプロセッサは、ローカルな技術的環境に適した任意のタイプであることができ、また、非限定的な例として、汎用コンピュータ、特殊目的コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、用途固有の集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、マルチコアプロセッサアーキテクチャに基づいたゲートレベル回路および、プロセッサのうちの１つまたは複数を含むことができる。データ処理は、いくつかのデータ処理モジュールに跨って分散することができる。データプロセッサは、例えば、少なくとも１つのチップによって提供することができる。また、適切なメモリ容量は、関連する装置内において提供することもできる。１つまたは複数のメモリは、ローカルな技術的環境に適した任意のタイプであることができ、また、半導体に基づいたメモリ装置、磁気メモリ装置および、システム、光メモリ装置および、システム、固定されたメモリ、および、着脱自在のメモリなどの任意の適切なデータストレージ技術を使用して実装することができる。一般に、様々な実施形態は、ハードウェアまたは特殊目的回路、ソフトウェア、ロジック、またはこれらの任意の組合せにおいて実装することができる。
【００９６】
本発明のいくつかの態様は、ハードウェアにおいて実装することができ、その他の態様は、コントローラ、マイクロプロセッサ、またはその他の演算装置によって実行されえるファームウェアまたはソフトウェアにおいて実装することできるが、本発明は、これらに限定されるものではない。本発明の様々な態様は、ブロックダイアグラムとして、フローチャートとして、あるいは、なんらかのその他の絵画的表現を使用することにより、図示および、記述されている場合があるが、本明細書において記述されているこれらのブロック、装置、システム、技法、または方法は、非限定的な例として、ハードウェア、ソフトウェア、ファームウェア、特殊目的回路またはロジック、汎用ハードウェアまたはコントローラまたはその他の演算装置、あるいは、これらのなんらかの組合せにおいて実装されえることを理解されたい。ソフトウェアは、メモリチップ、プロセッサ内において実装されたメモリブロック、ハードディスクまたはフロッピーディスクなどの磁気媒体、ならびに、例えば、ＤＶＤおよび、このデータ変形、ＣＤなどの光媒体のような物理媒体上において保存することができる。
【００９７】
上述の説明は、例示を目的として、また、非限定的な例として、本発明の例示用の実施形態の十分また有益な説明を提供している。ただし、添付の図面および、添付の請求項との関連において参照された際に、上述の説明に鑑み、様々な変更および、適合が、当業者には明らかとなる。ただし、本発明の教示のこのようなまた類似のすべての変更は、添付の請求項において定義されている本発明の範囲に依然として含まれることになる。実際に、上述のその他の実施形態のうちのいずれかの実施形態の１つまたは複数の実施形態の組合せを有する更なる実施形態が存在している。
【図１】
2018139447.tif 000004
【図２】
2018139447.tif 000005
【図３】
2018139447.tif 000006
【図４】
2018139447.tif 000007
【図５ａ】
2018139447.tif 000008
【図５ｂ】
2018139447.tif 000009
【図６】
2018139447.tif 000010
【図７Ａ】
2018139447.tif 000011
【図７Ｂ】
2018139447.tif 000012
【図８Ａ】
2018139447.tif 000013
【図８Ｂ】
2018139447.tif 000014
【図８Ｃ】
2018139447.tif 000015
【外国語明細書】
2018139447000001.pdf